(57)【特許請求の範囲】
【請求項１】
間隔をおいて立設された支柱に取付金具を介してパネルが架設され、支柱には取付金具をボルトにより取付けるための貫通孔が穿設されており、取付金具は固定部とパネル取付部とを備え、固定部は前記支柱の外径に対応した形状となされ、固定部の略中央には前記支柱の貫通孔にボルトを貫通させて支柱に取付ける固定用孔が形成されていると共に、固定部の一端のみからパネル取付部が突設されて、該パネル取付部に前記パネルが取付けられるようになされ、かつ、前記取付金具が支柱に取付けられた状態においては、前記支柱に穿設された貫通孔の方向とパネル取付部の突設された方向とは略４５°となされているパネル取付構造であって、
前記パネル取付部に形成された金具側取付孔とパネルに形成されたパネル側取付孔とに貫通させたボルトによって、前記パネル取付部にパネルを固定するに際して、前記金具側取付孔の上縁部に形成された仮置き部が前記パネルのパネル側取付孔に挿入されるようになされて、該仮置き部に前記パネルを仮置きすることができるようになされたことを特徴とするパネル取付構造。
【発明の詳細な説明】
【技術分野】
【０００１】
本発明は、支柱に取付金具を介してパネルを取付けたパネル取付構造に関するものである。
【背景技術】
【０００２】
従来、支柱に取付金具を介してパネルを取付けたパネル取付構造については、例えば特許文献１に示されるような、対立した両支柱間に腰板を架け渡して結合する支柱と腰板の取付け方法において、前記両支柱の内側壁に取付片で左右框を対向状に取付けて、その左右框の下端間に下框を架け渡して、前記左右框と下框で囲まれた空間部に幕板を張って、前記左右框の上端間に上框を架け渡して取付けた支柱と腰板との取付構造が開示されている。
【先行技術文献】
【特許文献】
【０００３】
【特許文献１】特開２００１−３４８９４８号公報
【発明の概要】
【発明が解決しようとする課題】
【０００４】
しかしながら、上記従来のパネル取付構造においては、支柱に対して幕板からなるパネルが直線状に支柱の左右に取付けられる場合と、支柱に対してパネルが９０°に取付けられる場合とで、支柱に取付けられた取付片は、前者の場合１８０°方向に支柱に取付けられ、後者の場合９０°方向に支柱に取付けられるため、それぞれの場合で異なる位置に取付片が取付けられた支柱を用意する必要があり、在庫する際には種類が増えてしまい、また施工時においては支柱を立設する際に場所毎に取付片が取付けられた支柱の種類を確認しなければならず、非常に手間を要するものであった。
【０００５】
本発明は、前記の如き課題を解消し、１種類の支柱と取付金具のみにより在庫・施工できると共に、効率的に施工できるパネル取付方法を提供せんとするものである。
【課題を解決するための手段】
【０００６】
上記目的を達成するために、本発明は次のような構成としている。
すなわち本発明に係るパネル取付構造は、間隔をおいて立設された支柱に取付金具を介してパネルが架設され、支柱には取付金具をボルトにより取付けるための貫通孔が穿設されており、取付金具は固定部とパネル取付部とを備え、固定部は前記支柱の外径に対応した形状となされ、固定部の略中央には前記支柱の貫通孔にボルトを貫通させて支柱に取付ける固定用孔が形成されていると共に、固定部の一端のみからパネル取付部が突設されて、該パネル取付部に前記パネルが取付けられるようになされ、かつ、前記取付金具が支柱に取付けられた状態においては、前記支柱に穿設された貫通孔の方向とパネル取付部の突設された方向とは略４５°となされているパネル取付構造であって、前記パネル取付部に形成された金具側取付孔とパネルに形成されたパネル側取付孔とに貫通させたボルトによって、前記パネル取付部にパネルを固定するに際して、前記金具側取付孔の上縁部に形成された仮置き部が前記パネルのパネル側取付孔に挿入されるようになされて、該仮置き部に前記パネルを仮置きすることがでるようになされたことを特徴とするものである。
【発明の効果】
【０００８】
本発明によれば、支柱には取付金具をボルトにより取付けるための貫通孔が穿設されており、取付金具は固定部とパネル取付部とを備え、固定部は前記支柱の外径に対応した形状となされ、固定部の略中央には前記支柱の貫通孔にボルトを貫通させて支柱に取付ける固定用孔が形成されていると共に、固定部の一端のみからパネル取付部が突設されると共に、前記取付金具が支柱に取付けられた状態においては、前記支柱に穿設された貫通孔の方向とパネル取付部の突設された方向とは略４５°としているため、支柱に対して２枚のパネルを９０°方向に取付ける場合には、パネルの手前側において、２個の取付金具のパネル取付部が左右方向になる様に固定部を重ね合せて、ボルトを取付金具の固定用孔と支柱の貫通孔とに貫通させて固着すれば、各取付金具のパネル取付部のなす角度は９０°となるので、この状態でパネル取付部にパネルを取付ければよく、また支柱に対して２枚のパネルを１８０°方向に取付ける場合には、１個の取付金具をパネルの手前側に配置し、もう１個の取付金具をパネルの奥側に配置して、ボルトを取付金具の固定用孔と支柱の貫通孔とに貫通させて固着すれば、各取付金具のパネル取付部のなす角度は１８０°となるので、この状態でパネル取付部にパネルを取付ければよい。すなわち、１種類の支柱と取付金具とを用いて、２枚のパネルを支柱に対して９０°方向にも１８０°方向にも取付けることができるため、効率的に施工及び部材の在庫をすることができる。
【０００９】
また、本発明によれば、前記パネル取付部には金具側取付孔が形成され、該金具側取付孔の縁部には仮置き部を設けられて、パネルに形成されたパネル側取付孔に前記仮置き部を挿入して、パネルを支柱に固定するようになされているため、パネル施工時にパネルを仮置き部に仮置きして作業者の負担を軽減することができ好ましい。
【図面の簡単な説明】
【００１０】
【図１】本発明に係るパネル取付構造に用いる取付金具の、実施の一形態を示す斜視図である。
【図２】パネルの取付構造を説明する分解斜視図である。
【図３】本発明に係るパネル取付構造を備えた実施形態の一例を示す（ａ）は正面図、（ｂ）は右側面図である。
【図４】本発明に係るパネル取付構造において、（ａ）支柱に対して２枚のパネルを９０°方向に取付ける場合の説明模式図（平面視）、（ｂ）支柱に対して２枚のパネルを１８０°方向に取付ける場合の説明模式図（平面視）である。
【発明を実施するための形態】
【００１１】
次に、本発明を実施するための最良の形態について図面を参照し、具体的に説明する。
本形態に係るパネル取付構造は、間隔をおいて立設された円柱状の支柱１の相対向する側壁間に連続してパネル２が取付金具３を介して架設されており、支柱１には取付金具３をボルトにより取付けるための貫通孔１１が穿設されており、取付金具３は固定部３１とパネル取付部３２とを備え、固定部３１は前記支柱１の外径に対応した形状となされ、固定部３１の略中央には前記支柱１の貫通孔１１にボルトＢ１を貫通させて支柱１に取付ける四角形状の固定用孔３３が形成されると共に、固定部３１の一端のみからパネル取付部３２が突設されている。
【００１２】
なお、本実施形態においては支柱１が円柱状であるため、固定部３１の形状も平面視で１／４円弧状となされている。勿論、支柱１の外形が角形であれば、それに対応するように固定部３１を形成すればよく、支柱１の外形に合せて固定部３１の形状を適宜形成すればよい。
【００１３】
また前記取付金具３が支柱１に取付けられた状態において、支柱１に穿設された貫通孔１１の方向Ｘとパネル取付部３２の突設された方向Ｙとは略４５°となされている。勿論、支柱１に穿設された貫通孔１１の方向とパネル取付部３２の突設された方向とは正確に４５°になるのが好ましいが、通常ボルトＢ１と貫通孔１１の遊び代があることから、略４５°となされていればよい。
【００１４】
そして、パネル取付部３２の略中央には四角形状の金具側取付孔３４が形成され、該金具側取付孔３４の縁部３５から水平に曲げ起こされた仮置き部３６が設けられて、パネル２に形成されたパネル側取付孔２１に前記仮置き部３６を挿入し、ボルトＢ２を貫通させ締め込んでパネル２が支柱１に固定される。
【００１５】
次にパネルの取付方法について説明する。
ボルトＢ１を取付金具３の固定部３１に形成された固定用孔３３に挿入し、支柱１の所定の位置に形成された貫通孔１１に貫通して、支柱１に取付金具３を固定する。次いで、パネル取付部３２の金具側取付孔３４の縁部３５に設けられた仮置き部３６を、パネル２の所定の位置に形成されたパネル側取付孔２１に挿入し、パネル２を仮置き部３６に仮置きした状態で、ボルトＢ２をパネル側取付孔２１と金具側取付孔３３とに挿入し貫通させて、パネル２を取付金具３に固定する。
【００１６】
次に本発明に係るパネル取付構造を有する実施形態の一例について説明する。
図３に示す本発明に係るパネル取付構造を備えた実施形態の一例は、マンションや店舗等に設置される自転車置場Ｊであり、手前側の左右に２本の支柱１ａ，１ｂが、奥側の左右と中央とに３本の支柱１ｃ，１ｄ，１ｅが配置され、手前側の左右の支柱１ａ、１ｂと奥側の支柱１ｃ、１ｅ上端部間にそれぞれ主梁４ａ、４ｂを架け渡して、この左右の主梁４ａ，４ｂ間の手前側、中央、奥側にそれぞれ母屋５ａ，５ｂ，５ｃが３本架け渡され、その上に屋根材６が取付けられている。
【００１７】
そして、奥側の３本の支柱１ｃ，１ｄ，１ｅ間には、２枚の背面パネル２（２ａ，２ｂ）が１８０°方向（直線状）に、そのパネル２端部の上部及び下部においてそれぞれ２個の取付金具３，３を介して固定されており、また、手前側の左右の支柱１ａ、１ｂと奥側の左右の支柱１ｃ、１ｅとの間には、それぞれ１枚ずつ側面パネル２（２ｃ，２ｄ）がそのパネル２端部の上部及び下部においてそれぞれ２個の取付金具３，３を介して固定されて、自転車置場Ｊが形成されている。つまり、２枚の背面パネル２（２ａ，２ｂ）は１８０°方向に配置され、左側の背面パネル２ａと左側の側面パネル２ｃ、及び右側の背面パネル２ｂと右側の側面パネル２ｄとは９０°方向に配置されている。
【００１８】
支柱１に対して２枚のパネル２を９０°方向に取付ける場合（２ａと２ｃ及び２ｂと２ｄ）には、図４（ａ）に示されるように、パネル２の手前側において、２個の取付金具３のパネル取付部３２が左右方向になる様に固定部３１を重ね合せて、ボルトＢ１を取付金具３の固定用孔３３と支柱１の貫通孔１１とに貫通させて固着し、次いでなす角度が略９０°となった各取付金具３のパネル取付部３２にパネル２を取付ける。
【００１９】
また支柱１に対して２枚のパネル２を１８０°方向に取付ける場合には、図４（ｂ）に示されるように、１個の取付金具３をパネル２の手前側に配置し、もう１個の取付金具３をパネル２の奥側に配置して、ボルトＢ１を取付金具３の固定用孔３３と支柱１の貫通孔１１とに貫通させて固着し、次いでなす角度が１８０°となった各取付金具３のパネル取付部３２にパネル２を取付ける。したがって、１種類の支柱１と取付金具３とを用いて、２枚のパネル２を支柱１に対して９０°方向にも１８０°方向にも取付けることができるため、効率的に施工及び部材の在庫をすることができる。
【００２０】
ここで、支柱１に穿設された貫通孔１１について、上述の実施形態において貫通孔１１は円形状となされているが、特にこれに限定されるものではない。例えば、貫通孔１１を横長孔とすれば、横長孔の長さによって２枚のパネル２，２を設置する角度を９０°以上に自在に調整することができると言った機能を付与することができ、好ましい。
【産業上の利用可能性】
【００２１】
本発明によれば、１種類の支柱と取付金具とを用いて、２枚のパネルを支柱に対して９０°方向にも１８０°方向にも取付けることができるため、効率的に施工及び部材の在庫をすることができるパネル取付構造に好適に利用できる。
【符号の説明】
【００２２】
１      支柱
１ａ    支柱
１ｂ    支柱
１ｃ    支柱
１ｄ    支柱
１ｅ    支柱
１１    貫通孔
２      パネル
２ａ    背面パネル
２ｂ    背面パネル
２ｃ    側面パネル
２ｄ    側面パネル
２１    パネル側取付孔
３      取付金具
３１    固定部
３２    パネル取付部
３３    固定用孔
３４    金具側取付孔
３５    縁部
３６    仮置き部
４ａ    主梁
４ｂ    主梁
５ａ    母屋
５ｂ    母屋
６      屋根材
Ｂ１，Ｂ２      ボルト
Ｃ      支柱の中心
Ｘ      支柱に穿設された貫通孔の方向
Ｙ      パネル取付部の突設された方向
【図１】
0005498805.tif 000002
【図２】
0005498805.tif 000003
【図３】
0005498805.tif 000004
【図４】
0005498805.tif 000005